(57)【特許請求の範囲】
【請求項１】
袋状記録媒体を積載可能な枠体と、当該枠体の底部に上下回動自在に配され給紙方向に直交する方向で相並んだ複数の底板部片と、各底板部片に対応して配され各底板部片の下面と摺擦する複数の湾曲部を有し且つ各底板部片の給紙方向下流側を持ち上げる上昇手段とを備えて構成される給紙トレイ構造にして、
前記複数の湾曲部の各々は、各底板部片が積載袋状記録媒体に夫々対応する領域において袋状記録媒体積載厚み状態の変動に応じて各底板部片の給紙方向下流側を持ち上げて給紙動作時に袋状記録媒体の最上面が平行になるように、固有の湾曲輪郭を有していることを特徴とする、給紙トレイ構造。
【請求項２】
前記複数の底板部片は、夫々記録媒体積載面に、給紙方向に平行な凹凸形状か、摩擦軽減部材を有することを特徴とする、請求項１に記載の給紙トレイ構造。
【請求項３】
前記上昇手段は、その湾曲部の底板部片との摺擦面に夫々、給紙方向に平行な凹凸形状か、摩擦軽減部材を有することを特徴とする、請求項１に記載の給紙トレイ構造。
【請求項４】
前記複数の底板部片は、給紙方向最下流端と前記上昇手段の湾曲部との摺擦箇所とで幅が異なっていることを特徴とする、請求項１に記載の給紙トレイ構造。
【請求項５】
前記複数の底板部片の回動中心が夫々、互いに給紙方向にずれていることを特徴とする、請求項１に記載の給紙トレイ構造。
【請求項６】
前記枠体の底面に設けられた回動部材に嵌合可能な凹凸部若しくは穴部を前記複数の底板部片夫々の給紙方向上流端に形成することを特徴とする、請求項１に記載の給紙トレイ構造。
【請求項７】
前記上昇部材が同一部材から形成されていることを特徴とする、請求項１に記載の給紙トレイ構造。
【請求項８】
前記上昇部材が、複数のカムと当該カムに嵌合する回動軸から構成され、カムの軸周方向に複数の嵌合位置が形成されていることを特徴とする、請求項１に記載の給紙トレイ構造。
【請求項９】
請求項１〜８のいずれか一項に記載の給紙トレイ構造を備えた画像形成装置。
【発明の詳細な説明】
【技術分野】
【０００１】
本発明は、複写機、ファクシミリ、プリンタ等の画像形成装置や印刷装置の分離・搬送機構の所定位置に、袋状記録媒体／印刷媒体の積載束給紙方向前面の最上面を正確に保持し、安定した搬送品質を得る為の給紙トレイ構造に関するものである。
【背景技術】
【０００２】
薬袋や封筒のような袋状印刷媒体では単純なシートとは異なり、それを束にして積載すると積載高さに偏差が生じる。即ち、袋の中央領域にのり代部分があるもの（以下、一般封筒とも称する）は束に積載すると中央領域が盛り上がる。また内包量を増やすためにサイドを谷折り加工したもの（以下、薬袋とも称する）では、サイドの厚みが中央と比較して２倍になり、束に積載すると袋サイドの厚みに対して中央が異常に薄く積載される。厚みの偏差を減らすべく嵩張りを抑えるために積載後に積載束をプレスして積載厚を減らすと、袋間の分離性が悪化するという問題がある。
【０００３】
そこで特許文献１では、積載用底板を縦に複数に分割し、それら底板を夫々個別にばねで押し上げて薬袋束の給紙方向前方の最上面を搬送ローラへ圧接することを提案している。しかしながら、このような薬袋フィーダにおいても、袋束より各袋一つずつを分離・搬送する為には、搬送ローラの軸方向で袋の積載束を均等に圧接する必要があるが、複数の底板を夫々のばねで押し上げる方式では、各ばねのばね係数は夫々一定であるところ、袋束の積載量が減るのに伴って各底板にかかる荷重が減り、各底板で持ち上げられる積載高さが次第にずれてしまい（積載高さの偏差）、搬送ローラへ袋束を圧接する力が底板間で均等とならず、積載袋の分離・搬送品質が低下する問題があった。
【０００４】
また、このように底板を分割して各底板部分を夫々のばねで押し上げる方式は、上記のように積載量の変化に伴い積載高さの偏差を生じるという本質的な問題を抱えているために、電子写真式画像形成装置の給紙装置に現在幅広く用いられている「シート束給紙方向前方の最上面位置を所定高さに保持して、ピックアップローラ、給紙ローラにてシートを分離・搬送する方式」に適用するに当たって適切なものではなく、事実上使用できないものであった。例えば、ばね式底板分割構造を備えた給紙カセットを複数段重ねることを想定すると、幅方向中央に配されたピックアップローラ近傍に積載高さ検知手段が一般に配置され、その領域での積載高さは、薬袋の場合、袋束両端よりも低く、積載高さ検知手段で適切と認識された袋束の両端は該当給紙トレイの上側の給紙トレイ底面に接触して、袋束の分離・搬送性能に問題が生じることがあった。場合によっては上側給紙トレイの底面（底板）変形や上昇手段の破損といった事態を招来する。
【０００５】
【特許文献１】特許第３５４２６８９号公報
【発明の開示】
【発明が解決しようとする課題】
【０００６】
そこで本発明は、既知の電子写真方式等の画像形成装置の給紙部に適用しても、袋状記録媒体／印刷媒体の積載束の給紙方向前面の最上面を均一な高さに維持でき、ピックアップローラ、給紙ローラを用いて、最大積載状態から最後の袋状記録媒体／印刷媒体に至るまで安定して分離・搬送を行うことができる給紙トレイ構造を得ることを目的とする。
【課題を解決するための手段】
【０００７】
上記課題は、本発明にしたがって、袋状記録媒体を積載可能な枠体と、当該枠体の底部に上下回動自在に配され給紙方向に直交する方向で相並んだ複数の底板部片と、各底板部片に対応して配され各底板部片の下面と摺擦する複数の湾曲部を有し各底板部片の給紙方向下流側を持ち上げる上昇手段とを有する給紙トレイ構造にして、各底板部片が積載袋状記録媒体に夫々対応する領域において袋状記録媒体積載厚み状態の変動に応じて各底板部片の給紙方向下流側を持ち上げて給紙動作時に袋状記録媒体の最上面が平行になるように、前記複数の湾曲部の各々が固有の湾曲輪郭を有していることで、解決される。
【０００８】
前記複数の底板部片は、夫々記録媒体積載面に、給紙方向に平行な凹凸形状か、摩擦軽減部材を有しているのが、好適である。前記上昇手段は、その湾曲部の底板部片との摺擦面に夫々、給紙方向に平行な凹凸形状か、摩擦軽減部材を有しているのも、好適である。
【０００９】
前記複数の底板部片は、給紙方向最下流端と前記上昇手段の湾曲部との摺擦箇所とで幅が異なっているのも、好ましい。また前記複数の底板部片の回動中心が夫々、互いに給紙方向にずれている構成も考えられる。前記枠体の底面に設けられた回動部材に嵌合可能な凹凸部若しくは穴部を前記複数の底板部片夫々の給紙方向上流端に形成することも好都合である。前記上昇部材が同一部材から形成されているのも好ましい。前記上昇部材が、複数のカムと当該カムに嵌合する回動軸から構成され、カムの軸周方向に複数の嵌合位置が形成されていてもよい。
【発明の効果】
【００１０】
本発明によれば、枠体の底部に上下回動自在に配され給紙方向に直交する方向で相並んだ複数の底板部片と、各底板部片に対応して配され各底板部片の下面と摺擦する複数の湾曲部を有し且つ各底板部片の給紙方向下流側を持ち上げる上昇手段とを備えて構成される給紙トレイ構造にして、各底板部片が積載袋状記録媒体に夫々対応する領域において袋状記録媒体積載厚み状態の変動に応じて各底板部片の給紙方向下流側を持ち上げて給紙動作時に袋状記録媒体の最上面が平行になるように、前記複数の湾曲部の各々が固有の湾曲輪郭を有しているので、大きな袋状記録媒体の積載量が減って積載高さが減少しても、積載記録媒体の先端側最上面高さを一定に保持でき、安定した袋状記録媒体の分離・搬送を実現できる。このような安定した袋状記録媒体の分離・搬送に加えて、積載記録媒体の最上面高さを一定にできることから、積載高さ検知手段の配置自由度が大きくなり、上昇手段の破損、底板の変形といった事態も防止できる。
【００１１】
前記複数の底板部片が、夫々記録媒体積載面に、給紙方向に平行な凹凸形状か、摩擦軽減部材を有していれば、底板と最も下の記録媒体の間の摩擦が低減され、この最後の記録媒体に対しても安定した搬送品質を確保できる。前記上昇手段が、その湾曲部の底板部片との摺擦面に夫々、給紙方向に平行な凹凸形状か、摩擦軽減部材を有していれば、上昇手段の機械的強度を緩和でき、駆動力を低減でき、摺擦部の摩耗が低減し、異常音の発生を防止できるといった効果が得られる。
【００１２】
前記複数の底板部片が給紙方向最下流端と前記上昇手段の湾曲部との摺擦箇所とで幅が相違していれば、例えば、積載した記録媒体束中央のカール半径が小さい場合、底板の分割幅を狭くして積載束底面の接触面積を増加させることができる。中央部のピックアップローラの積載束への押し付け圧が均一となり、安定した搬送性を確保できる。また積載束の最終記録媒体に対して底板の局部的な接触が無くなり、積載束最終記録媒体の折り目、圧痕等、平面性の悪化を防止できる。
【００１３】
また前記複数の底板部片の回動中心が夫々、互いに給紙方向にずれていれば、図３に示す底板回動角と底板高さの関係の変更範囲が広がり、多様な袋状記録媒体に対応可能となる。前記枠体の底面に設けられた回動部材に嵌合可能な凹凸部若しくは穴部を前記複数の底板部片夫々の給紙方向上流端に形成すれば、底板加工費の低減、底板と給紙トレイ本体の組み立て工数の低減が可能となる。後述する最初の例のように、底板の回動中心を形成するための曲げ加工が不要となり、低コスト化が可能となる。給紙トレイの組立てにおいては、各底板へ回動中心回となる支持部材を貫通させる工数を省略できる。前記上昇部材が同一部材から形成されていれば、金属材料ではプレス加工や鍛造加工が可能となる。樹脂材料では射出成形が可能となり、底板上昇手段の加工費が低減できる。前記上昇部材が、複数のカムと当該カムに嵌合する回動軸から構成され、カムの軸周方向に複数の嵌合位置が形成されていれば、底板上昇手段のカムと回動軸の軸回転方向の位置関係を専用工具又は専用加工設備を用いることなく、変更でき、給紙トレイの組立て工場でも、当該給紙トレイを用いた画像形成装置の生産工場でも、市場のサービスマンでも、顧客でも夫々、積載記録媒体に適した設定を容易に行うことができる。
【発明を実施するための最良の形態】
【００１４】
以下、図面を参照し、本発明の実施の形態について説明する。
図１に、本発明に係る給紙トレイ構造を含む画像形成装置の概略を示す。図１の画像形成装置はレーザープリンタであり、感光体、露光手段、現像手段等からなる画像形成部において電子写真方式により作像された画像は中間転写ベルト２０に１次転写され、２次転写部において中間転写ベルト２０に圧接した２次転写ローラ２２により記録媒体に転写される。記録媒体は検知手段（図示せず）により給紙開始位置にあることを認識された後に給紙カセット２４又は手差しトレイ２６から給紙機構により送り出され、レジストローラ対２８を経て２次転写部に送り込まれ、画像を転写したのち定着装置３０にて画像を定着して、片面画像形成の場合には排紙ローラ３２により排紙トレイ３４上へ排出される。また、両面画像形成の場合には、一方の面に画像を転写・定着した記録媒体は、用紙反転手段３６を介して再給紙され再びレジストローラ対２８を経て２次転写部に送り込まれ、裏面に画像転写・定着して、排紙トレイ３４上へ排出される。
【００１５】
次に、本発明に係る袋状記録媒体用給紙トレイ構造を備えた給紙装置である給紙カセット２４を図２において説明する。給紙カセット２４は、把持部２を有する枠体状のトレイ本体４と、記録媒体給紙方向に直交する方向（左右方向）でトレイ本体４に摺動自在に支持される一対のサイドフェンス６ａ，６ｂと、給紙方向（前後方向）でトレイ本体４に摺動自在に支持されるエンドフェンス８と、基端側をトレイ本体４にピン支持され不図示の記録媒体を積載する回動可能な底板１０と、積載記録媒体の給紙方向先端をピックアップローラ（図２には図示せず）に押し当てるために底板１０の下方に配されたカム構造等から構成されている。
【００１６】
底板１０は、給紙方向に直交する給紙カセット幅方向で３つに分割されており、各底板部片１０ａ，１０ｂ，１０ｃは、それぞれの基端側が共通の支持ピン１１によってトレイ本体４に取り付けられ、支持ピン１１を回動中心として給紙方向前方（給紙方向下流側）が上下動するようになっている。底板の上下回動を行う上昇手段は、カム軸１２とこのカム軸１２に固定して貫かれた夫々の円板カム１３ａ，１３ｂ，１３ｃで構成されている。円板カム１３ａ，１３ｂ，１３ｃは各底板部片１０ａ，１０ｂ，１０ｃ毎に特定の形状を有している（１３ａ，１３ｃは共通）。給紙カセット２４が装置本体にセットされると、図３に示すように、カム軸１２が駆動手段であるギヤ付きモータ９のカップリングに噛み合い、底板を上昇駆動可能となる。カム軸１２の回転に伴って円板カム１３が回転すると、各底板部片は夫々の円板カムの外周摺擦部（特定輪郭）に倣って回動角が変化する。
【００１７】
円板カムの回転に伴う底板部片の上昇を、検出手段により検知される底板上の状態に応じて底板の上昇の様子を示す図４において説明する。底板が最下位置にある図４ａの状態から、電源が投入され、本体奥にある検知手段（図示せず）が給紙カセット（トレイ）のセットを検知する（図５のＳ１）と、ギヤ付きモータ９（図３）たる駆動手段が回転し、カム軸１２を介して円板カム１３を回動し、底板１０を揺動して記録媒体２１を押し上げる。底板１０が揺動して記録媒体２１が上面検出手段を構成する第１フィラー２５により、その積載束の最上面が所定位置に達したことを検知され（Ｓ２）、記録媒体検出手段を構成する第２フィラー２７により存在が検出される（Ｓ３）と、駆動手段が停止する（図４ｂ）。停止位置はピックアップローラ２３に所定加圧力が加わる位置であり、ピックアップローラが回転すると給紙ローラからレジストローラ対２８へ記録媒体を搬送する。図４ｂは底板１０が上昇して記録媒体２１を給紙可能な状態を示しており、図４ａの底板最下位置より、カム軸１２（駆動手段）が回転して図４ｂの状態にて停止するまでの動作を「紙上げ動作」という。
【００１８】
画像形成部へ記録媒体が搬送され、積載束の上面が低くなると、上面検出手段で不検出となるので、上面が検出されるまで駆動手段が作動して底板を上昇させる。底板上に記録媒体がなくなるまで、底板の上昇、停止が繰り返される。底板上に記録媒体がなくなると、図４ｃに示すように、底板に形成された検出孔２９をすり抜けて当該検出孔２９の下方に第２フィラー２７が位置することになり、記録媒体検出手段は底板上に記録媒体がなくなったことを検知し、不図示の操作部において表示される。操作者が給紙カセットを装置本体から引き出そうとすると、給紙カセットのカム軸１２と駆動手段のカップリングが外れて、底板は自重で最下位置へ戻り、給紙カセットの離脱を可能とする。
【００１９】
底板部片を押し上げる機能を有する円板カムの外周摺擦部の輪郭形状に関して次に説明する。袋状記録媒体は、束に積載した場合、厚さ偏差が幅方向（給紙方向に直交する方向）で対称となる薬袋として説明する。その際、図６で認識できるように、複数の袋状記録媒体が積載されることで、記録媒体束の厚みが幅方向で異なり、記録媒体の縁端部を支える底板部片１０ａ，１０ｃの先端高さ（Ｈａ＝Ｈｃ、以下Ｈａで示す）は低い位置をとり（図７）、一方、中央底板部片１０ｂは高めの位置（Ｈｂ）をとる（図８）。なお、Ｈsfは給紙動作時の記録媒体の上面高さであり、画像記録装置は、記録媒体の上面高さがＨsfに常に揃うようにカム軸１２の回転を制御することになる。以下の説明では、カム軸と底板回動軸は同一高さにあり、底板の厚みは無視して考える。
【００２０】
底板部片と接触して底板部片を持ち上げる外周摺擦部における円板カムの輪郭は、カム軸回転角θ＝０の時（底板が最下位置にある時）、底板部片１０ｂの高さＨb0＞底板部片１０ａ，１０ｃの高さＨa0であり、カム軸回転角θ＝θmaxの時、底板部片１０ｂ，１０ａ，１０ｃの高さは全てＨsfとなり、更にはカム軸回転角θが零からθmaxに変化するに伴ってカム外周はカム軸との距離が大きくなる必要がある。例えば、クロソイド曲線のような、曲率が徐々に増加する形状をとることになる。その輪郭形状の考え方の一例は、図９に示すようなもので、
円板カム１３ｂ：Ｒ１＝α１×Ａ＋Ｈb0
円板カム１３ａ：Ｒ２＝α２×Ａ＋Ｈa0
ここでＡは曲率半径の回転角、α１，α２は曲率半径の増加率である。曲率半径の増加率は、袋状記録媒体の束が最大積載された状態から最後の１枚となる袋状記録媒体の厚み状態までの中央領域と縁端部での各厚み変動に対応するもので、予め確認されている。例えばα１：α２＝１：２である。
【００２１】
図９に示す輪郭を有する各円板カムを用いる場合、袋状記録媒体を積載しない段階で底板部片１０ｂの先端高さは両側の底板部片１０ａ，１０ｃの先端高さよりも高くなっており、このような状態から、積載した袋状記録媒体を持ち上げ、記録媒体束の最上位をピックアップローラに押し当て、給紙動作を行う際のカム軸回転角θと底板高さの関係を図１０に示す。図１１では、カム軸の回転角が零とθmaxの場合の各底板部片の状態を示す。
【００２２】
なお、カム形状によってはカムの回転に伴い底板との接触位置が大きく移動してしまい、底板の高さ変化がカムの輪郭変化に一致しない場合も考えられる。その場合には、例えば底板のカム接触部分に凸形状を備えることによって、接触位置の移動範囲を抑制して底板の高さ変化をカム輪郭の変化に追随させることも想定される。
【００２３】
記録媒体がない場合に底板部片の高さが揃っていないと、記録媒体のセットを行い難いことがある。そこで、記録媒体がない場合に底板部片の高さを揃えることを考える。この場合、図１２に示すように、中央底板部片は、上側を切り取った形状とする。中央底板部片の輪郭をこのように構成して、積載した袋状記録媒体を持ち上げ、記録媒体束の最上位をピックアップローラに押し当て、給紙動作を行う際のカム軸回転角θと底板高さの関係を図１３に示す。図１４では、カム軸の回転角が零と給紙動作開始時のθ1とθmaxの場合の各底板部片の状態を示す。
【００２４】
以上のように、袋状記録媒体束の積載高さ偏差を補正し、給紙動作時に給紙方向前方の記録媒体最上面を平らに保持することができる。外周輪郭の異なる円板カムを複数用意することにより、図２に示す底板回動角と底板高さの関係を適宜変更することができ、袋状記録媒体の種類毎に適切な底板回動角と底板先端高さを得ることができる。本例では、底板上昇手段としてカム軸と円板カムを用いているが、袋状印刷媒体の厚み変化に対応する輪郭形状を有するものであれば回動部材は円板カムに限定されない。例えば図２０に関連して後述する回動軸に一体化させた腕部片の湾曲輪郭を、袋状印刷媒体の厚み変化に対応させる構成などが想定される。
【００２５】
図１５に分割底板部片組みの変形例を示す。積載記録媒体と底板の間の摩擦を低減するために、底板１０ａ，１０ｂ，１０ｃの積載面側に凸ビード１４を設けている。ビードの代わりに摩擦低減部材を取り付けても良い。同様に、底板の裏面、つまり底板上昇手段（カム）側に凸ビードを設けて、底板と底板上昇手段の間の摩擦を低減することが可能である。つまり、図１６に示すように、カム１３の外周摺擦面に凸ビード１５を設けて、底板との摺動摩擦を低減する。ビードによる凹凸の代わりに、マイラー（商品名）シート、テフロン（登録商標）シート等、摩擦低減部材を取り付けてもよい。
【００２６】
図１７に分割底板部片組みの別の変形例を示す。これは、中央底板部片１０ｂ’が基端側から先端側に向かって先細りになり、側端用底板部片１０ａ’，１０ｃ’は中央底板部片１０ｂ’の外側輪郭変化に合わせて、先端側へ幅広に形成されている。このような形状によって、袋状記録媒体の束のカール半径が小さい場合に、積載記録媒体中央領域への中央底板部片１０ｂ’の密着性が向上する。
【００２７】
図１８の分割底板部片組みの変形例は、各底板部片の回動中心（基端側）が上記の例と異なりずれている構成である。図示の例とは反対に中央底板部片が短くなっている場合も想定される。このように底板部片の回動中心の配列を同一軸の場合と異ならせると、上記の例で用いたのと同じ円板カムを組み合わせても、底板回動角と高さの関係を変えることができる。
【００２８】
図１９は、給紙トレイへの底板の組み付けを簡略化するための提案である。トレイ本体に形成された回動可能な凹状部片１６又は凸状鉤部１７と嵌合可能な形状（凸部、凹部、穴部）を底板部片の基端側に形成して、その嵌合部分を底板の回動中心とするものである。
【００２９】
図２０は、底板上昇手段の回動軸１８に、底板下面を摺擦しながら底板を押し上げる腕状湾曲部片１９ａ，１９ｂ，１９ｃを一体的に同一材料で構成する例を示すものである。回動軸に一体化された腕状湾曲部片の湾曲輪郭は、袋状印刷媒体の各対応位置での厚み変化に対応している。その材料としては、鉄、黄銅、アルミニウムの金属材料や、ＡＢＳ、ＰＯＭ、ＰＣ樹脂を使用することができる。
【００３０】
底板押し上げのためのカム部材の外周摺擦部の輪郭形状は、既述のように、底板の回動角の変化に伴って底板先端高さが固有に変化するように画定されており、袋状記録媒体の種類によって異なるものであるが、その輪郭変化の経過は、異なる種類の記録媒体にあっても束の厚みが異なる状態のときに概ね共通することもあることが確認された。そこで、底板上昇手段の回動軸と押し上げ部片たるカム部材の嵌合において、軸の回転方向での嵌合位置を変更可能とする構造を次に説明する。
【００３１】
図２１では、カム部材１３’の軸穴周囲に凹凸形状を形成し、カム軸１２’に取り付けたピン部と嵌合する。嵌合後は、Ｅリング、止め環の固定手段によりカム部材１３’の軸方向移動を防止する。あるいは締結手段によりカム部材の穴径を絞り、摩擦力によってカム部材の軸方向移動を防止してもよい。図２２では、カム部材”の軸内面にスプライン状の溝形状を形成し、カム軸１２”の表面に形成したスプライン状の溝と嵌合する。嵌合後は、図２１の例と同様に、Ｅリング、止め環の固定手段によりカム部材１３”の軸方向移動を防止したり、締結手段によりカム部材１３”の穴径を絞り、摩擦力によってカム部材の軸方向移動を防止する。
【図面の簡単な説明】
【００３２】
【図１】画像形成装置の概略構成図である。
【図２】本発明に係る給紙トレイ構造の構成例を示す図である。
【図３】底板上昇機構を説明する概念図である。
【図４】底板の上昇動作、下降動作を説明する図で、図４ａは底板上昇開始時、図４ｂは給紙動作時、図４ｃは記録媒体なしの状態を示す。
【図５】底板上昇のフローチャートである。
【図６】記録媒体が袋状の場合、積載すると幅方向で積載高さが異なることを説明する図である。
【図７】袋状記録媒体の重なりが多い箇所での積載状態を示す側面図である。
【図８】袋状記録媒体の重なりが少ない箇所での積載状態を示す側面図である。
【図９】円板カムの外周輪郭の考え方を説明する図で、図９ａは記録媒体厚が薄い側のカム形状、図９ｂは記録媒体厚が厚い側のカム形状を示す。
【図１０】記録媒体を積載しない状態で中央底板部片が高い場合の、カム外周摺擦部の輪郭形状の違いによって、底板の回動角の変化と底板の先端高さの関係が固有に変化することを説明するグラフである。
【図１１】図１０の条件下でカム軸の回転に伴って底板部片が上昇する様子を説明する図で、図１１ａはカム軸回転角が零で記録媒体厚が厚い側の底板部片が最下位置にある様子、図１１ｂはカム軸回転角がマックスで記録媒体厚が厚い側の底板部片が最上位置にある様子、図１１ｃはカム軸回転角が零で記録媒体厚が薄い側の底板部片が最下位置にある様子、図１１ｄはカム軸回転角がマックスで記録媒体厚が薄い側の底板部片が最上位置にある様子を示す。
【図１２】記録媒体を積載しない場合に底板部片の高さを揃えるため、記録媒体厚が薄い側のカムを変形する例を示す図である。
【図１３】記録媒体を積載しない状態で底板部片の高さが揃う場合の、カム外周摺擦部の輪郭形状の違いによって、底板の回動角の変化と底板の先端高さの関係が固有に変化することを説明するグラフである。
【図１４】図１３の条件下でカム軸の回転に伴って底板部片が上昇する様子を説明する図で、図１４ａはカム軸回転角が零で記録媒体厚が厚い側の底板部片が最下位置にある様子、図１４ｂは給紙動作開始時の状態、図１４ｃはカム軸回転角がマックスで記録媒体厚が厚い側の底板部片が最上位置にある様子、図１４ｄはカム軸回転角が零で記録媒体厚が薄い側の底板部片が最下位置にある様子、図１４ｅは給紙動作開始時の状態、図１４ｆはカム軸回転角がマックスで記録媒体厚が薄い側の底板部片が最上位置にある様子を示す。
【図１５】分割底板部片組みの変形例を示す斜視図である。
【図１６】カムの摺擦面を、給紙方向に平行な凹凸形状とした例を示す図である。
【図１７】分割底板部片組みの別の変形例を示す斜視図である。
【図１８】分割底板部片組みの更に別の変形例を示す斜視図である。
【図１９】トレイ本体に形成された回動可能な凹状部片又は凸状鉤部と嵌合可能な形状を底板部片の基端側に形成する例の図である。
【図２０】底板上昇手段の回動軸に、底板下面を摺擦しながら底板を押し上げる腕状湾曲部片を一体的に構成する例を示す斜視図である。
【図２１】カムの軸周方向に複数の嵌合位置が形成される例を示す斜視図である。
【図２２】カムの軸周方向に複数の嵌合位置が形成される別の例を示す斜視図である。
【符号の説明】
【００３３】
２  把持部
４  トレイ本体
６  サイドフェンス
８  エンドフェンス
１０  底板部片
１１  支持ピン
１２  カム軸
１３  円板カム
【図１】
0005187186.tif 000002
【図２】
0005187186.tif 000003
【図３】
0005187186.tif 000004
【図４】
0005187186.tif 000005
【図５】
0005187186.tif 000006
【図６】
0005187186.tif 000007
【図７】
0005187186.tif 000008
【図８】
0005187186.tif 000009
【図９】
0005187186.tif 000010
【図１０】
0005187186.tif 000011
【図１１】
0005187186.tif 000012
【図１２】
0005187186.tif 000013
【図１３】
0005187186.tif 000014
【図１４】
0005187186.tif 000015
【図１５】
0005187186.tif 000016
【図１６】
0005187186.tif 000017
【図１７】
0005187186.tif 000018
【図１８】
0005187186.tif 000019
【図１９】
0005187186.tif 000020
【図２０】
0005187186.tif 000021
【図２１】
0005187186.tif 000022
【図２２】
0005187186.tif 000023